(57)【要約】【課題】コンクリート構造物にダクト状構造又はチャネルを容易に形成することができる、スリップフォームキャスティングのための装置を提供する。【解決手段】対向配置された少なくとも１対のヨークレッグ３，４を有するスリップフォームヨーク２を有する、特に成形されたコンクリート構造物のスリップフォーム成形のための装置１において、ヨークレッグ３，４に結合された少なくとも１つの半型５，６が設けられており、これらの半型５，６の間にコンクリートが注入されるようになっており、ヨーク２と協働する少なくとも１つのジャッキパイプ８が設けられており、該ジャッキパイプ８が中空である。【選択図】図１
2011190677.tif 000002
【特許請求の範囲】
【請求項１】
対向配置された少なくとも一対のヨークレッグを有するスリップフォームヨークを有する、特に成形されたコンクリート構造物のスリップフォーム成形のための装置において、前記ヨークレッグに結合された少なくとも一対の半型が設けられており、これらの半型の間にコンクリートが注入されるようになっており、ヨークと協働する少なくとも１つのジャッキパイプが設けられており、該ジャッキパイプが中空であることを特徴とする、特に成形されたコンクリート構造物のスリップフォーム成形のための装置。
【請求項２】
前記ジャッキパイプが、該ジャッキパイプを別のジャッキパイプに結合するための少なくとも１つの結合部材を有している、請求項１記載の装置。
【請求項３】
第１のジャッキパイプの結合部材が、別のジャッキパイプの結合部材とのスナップ嵌合式結合を提供する、請求項１又は２記載の装置。
【請求項４】
前記結合部材が、スナップ嵌合部又はスナップ嵌合部を受容するように適応された凹所である、請求項３記載の装置。
【請求項５】
第１のジャッキパイプの結合部材が、別のジャッキパイプの結合部材との差込結合を提供する、請求項１から４までのいずれか１項記載の装置。
【請求項６】
前記結合部材が、溝状の凹所又は舌片状の突出部である、請求項５記載の装置。
【請求項７】
ジャッキパイプの一方の端部が、増大した直径を有している、請求項１から６までのいずれか１項記載の装置。
【請求項８】
ジャッキパイプが、該ジャッキパイプを別のジャッキパイプに結合するための少なくとも１つの結合部を有する別個の結合スリーブによって別のジャッキパイプに結合可能である、請求項１から７までのいずれか１項記載の装置。
【請求項９】
前記結合部が、スナップ嵌合式結合及び／又は差込結合を提供する、請求項８記載の装置。
【請求項１０】
前記結合スリーブが、増大した直径を備える少なくとも１つの端部を有する、請求項８又は９記載の装置。
【請求項１１】
一方の半型を、該半型の表面に対して垂直の方向に移動させるための少なくとも１つの手段が設けられている、請求項１から１０までのいずれか１項記載の装置。
【請求項１２】
前記手段が、ヨークレッグに設けられている、請求項１１記載の装置。
【請求項１３】
請求項１から１２までのいずれか１項記載のスリップフォーム成形のための装置を用いて成形されるコンクリート構造物、特に風車タワー。
【請求項１４】
風車タワーを成形するための、請求項１から１２までのいずれか１項記載のスリップフォーム成形のための装置の使用。
【発明の詳細な説明】
【技術分野】
【０００１】
本発明は、対向配置された少なくとも一対の垂下したヨークレッグを有するスリップフォームヨークと、ヨークレッグに結合された少なくとも一対の半型であってこれらの半型の間にコンクリートが注入されるものと、ヨークレッグと協働する少なくとも１つのジャッキパイプとを有する、特に成形されたコンクリート構造物をスリップフォーム成形するための装置に関する。
【背景技術】
【０００２】
特にコンクリート構造物の形成のためのスリップフォーム技術は、型面を形成する半型又は型トンネルを使用し、型面の間にコンクリートが連続的に注入され、建物の壁又は同様の構造物に成形される。半型は、例えば液圧式ジャッキ又はスクリュージャッキによって同期して移動又は摺動させられる。構造物の形成が進行するに従い、既に注入されたコンクリートの部分は硬化し、その上部に注入されるコンクリートに耐えるように十分に強い支持壁部を形成する。同様に、実質的に水平の構造物が形成されてもよい。構造物の所望の寸法が達せられるまで、注入が続けられる。
【０００３】
前記ジャッキは、所望の摺動速度に応じて半型を徐々に持ち上げていくために、中実でかつ実質的に等しい間隔を置いて配置されている。摺動速度は、硬化したコンクリートが半型に付着するのを防ぐように十分に速くなければならないとともに、締め固められているがまだ硬化していないコンクリートを崩さないように十分に滑らかでなければならない。ジャッキが半型を持ち上げるために、ジャッキは、中実の支持アンカ又はパイプに載置されている。支持アンカ又はパイプは、既に成形された構造物に係止されており、ジャッキ及び半型を支持するのに適している。構造物に応じて、前記支持アンカは、最終的に所望の寸法に達するために、形成が進行するのに従って延長させられてよい。一般的なスリップフォームシステムは例えば米国特許第４３１４７９８号明細書に開示されている。
【０００４】
一般的に、例えば風車タワー等の成形された構造物の場合、スリップフォーム工程の間にプレストレスワイヤのための様々なチャネル及び／又はケーブルダクト等が一緒に形成されなければならない。チャネルは、成形されたコンクリート構造物の長さ又は高さの全体に亘って貫通していてよい。さらに、チャネルは、スリップフォーム工程が進行するに従って構造物に形成されてよい。
【０００５】
米国特許第４０９５３２６号明細書は、コンクリート構造物にプレストレスを加える方法に関し、複数の細長いストランドから成るテンドンは、最終的にテンドンを形成する細長いストランドを、複数のパーキングダクトに挿入し、次いで、汚れ及び詰まりなしにプレストレスが加えられるように複数のストランドを同時にグループとしてパーキングダクトから構造物のダクト内へ引き込むことによって、形成される。構造物のダクトに配置されると、ストランドは係留され、所望のストレスを提供するためのテンドンとしてポストテンションが加えられる。
【０００６】
例えば電気ケーブルダクトのためのさらに別の別個のチャネルが、成形の間に円形のタブを挿入することによってコンクリート構造物に形成されてよい。
【０００７】
英国特許第８８８２７５号明細書は、電気ケーブルを挿入するための１つ又は２つ以上の管状ダクトを有するコンクリートフロアリングエレメントを示しており、このフロアリングエレメントは、ダクトが容易にアクセス可能である一方又は両方の端部においてリベートされている。
【０００８】
従って、ダクト状構造、すなわちチャネル等の形成は、コンクリート構造物のスリップフォーム成形の工程の前又はその間に付加的な努力を要する。
【先行技術文献】
【特許文献】
【０００９】
【特許文献１】米国特許第４３１４７９８号明細書
【特許文献２】米国特許第４０９５３２６号明細書
【特許文献３】英国特許第８８８２７５号明細書
【発明の概要】
【発明が解決しようとする課題】
【００１０】
従って、本発明の課題は、コンクリート構造物にダクト状構造又はチャネルを容易に形成することができる、スリップフォーム成形のための装置を提供することである。
【課題を解決するための手段】
【００１１】
前記課題は、ジャッキパイプが中空である、スリップフォームキャスティングのための前記装置によって解決される。本発明によれば、ジャッキパイプは中空であるので、コンクリート自体がセット、すなわち固化した後にダクト状構造又はチャネル等として働く。従って、スリップフォーム成形工程中の別個のダクト状構造等の形成はもはや不要であり、このことは成形工程の構成及び取扱いを容易にする。
【００１２】
従って、建設すべき構造物の様々な構成要素はジャッキパイプの中空体積に容易に挿入されてよく、従って、自由体積を構成するジャッキパイプの中空部は、例えば電気ケーブル及び／又はプレストレスワイヤ等の、構造物の全ての関連する構成部材を収容するような寸法を有していてよい。従って、本発明による中空のジャッキパイプの寸法は、構造物が成形された後に設置すべきケーブル及びその他の構成部材の量及び寸法に対応又は適応するようになっている。
【００１３】
ジャッキパイプ内の自由体積の長さは変化してよい。"パラレルライン"、すなわちワイヤレス／電気ケーブル及びスリップフォーム工程のための支持パイプのためのダクトは、不要である。ジャッキパイプの内側セクションが２つ以上の中空開口を有することも可能であるが、いずれにしてもジャッキパイプの機械的安定性は依然として保証されている。
【００１４】
本発明は、コストを低減させ、例えば付加的なダクト状構造又は支持パイプはもはや不要である。本発明による装置は、水平方向又は鉛直方向でのスリップフォーム成形のために、すなわち、例えば実質的に水平方向の道路建設又は鉛直の高いコンクリート構造物の建設のために使用されてよい。
【００１５】
ジャッキパイプは完全に中空であるので、大きな長さのケーブル又はプレストレスワイヤ等は、ジャッキパイプの自由体積内に挿入及び収容されてよい。挿入される構成部材はジャッキパイプの長さを超えていてもよい。
【００１６】
例外的な場合として、ジャッキパイプは部分的にのみ中空であってよい。このようなジャッキパイプは、初期部分に配置されていてよい。ケーブル等はこのように形成されたジャッキ管において終わっている。
【００１７】
ジャッキパイプは、有利には、ジャッキパイプを別のジャッキパイプに結合するための少なくとも１つの結合部材を有していてよい。これにより、少なくとも２つのジャッキパイプは互いに結合されてよく、それぞれのジャッキパイプの中空部が好適には上流又は下流に結合されたジャッキパイプの中空部と連通するので、ジャッキパイプ内の中空部の延長を提供する。このような形式において、長い中空部が鉛直方向又は水平方向に形成されてよい。従って、顕著な、特に長い構成部材は、ジャッキパイプ内に収容されてよい。
【００１８】
第１のジャッキパイプの結合部材は、別のジャッキパイプの結合部材とのスナップ嵌合式結合を提供してよい。スナップ嵌合式結合は、公知であり、連結される構成部材の一方又は他方と対応する位置決め及びロッキング機能によって部材対部材の取付けが達成されるような、機械的連結システムの代表的なものである。連結のためには、（柔軟な）ロッキング手段が、対応する相手方の部材との係合のために側部を移動させる必要があり、その後、ロッキング手段が元の位置に向かって戻される。位置決めされた手段は柔軟でなく、取付けの強度及び安定性を提供する。
【００１９】
その結果、この実施形態においては、結合部材は、スナップ嵌合部等、又はスナップ嵌合部を受容するように適応された凹所等であってよい。スナップ嵌合部及び対応する凹所の全ての形状が可能である。もちろん、スナップ嵌合部は傾斜させられていてよく、これにより、ジャッキパイプの結合を容易にする。スナップ嵌合式結合は、解離可能又は解離不能であってよい。結合部材、すなわち、スナップ嵌合部及び対応する凹所は、ジャッキパイプに沿った様々な位置に設けられていてよい。
【００２０】
択一的に又は付加的に、第１のジャッキパイプの結合部材は、別のジャッキパイプの結合部材との差込結合を提供してもよい。差込結合は、ジャッキパイプの迅速かつ容易な結合を提供する。差込結合は、解離可能又は解離不能であってよい。結合部材は、好適には、ジャッキパイプの自由端部に配置された溝状の凹所又は舌片状の突出部であってよい。有利には、ジャッキパイプは、互いに反対側の端部に配置された溝状の凹所及び舌片状の突出部を含む。
【００２１】
択一的に又は付加的に、ジャッキパイプの一方の端部は、増大した直径を有していてよい。これにより、増大した直径を有する一方の端部を通常の、すなわち増大されていない直径を有する別のジャッキパイプの端部に単に被せ嵌めることによって、ジャッキパイプの容易な結合が達成可能である。ジャッキパイプは、両端部において増大した直径を有していても、一方の端部にだけ有していてもよい。前者の場合には、ジャッキパイプは、それらの端部に対応する増大した直径を有さない１つ又は２つのジャッキパイプと結合可能であり、後者の場合には、ジャッキパイプは同様のジャッキパイプと結合可能であり、この場合、結合は、増大した直径を有さない１つの端部を増大した直径を有する端部に差し込むことによって行われる。
【００２２】
択一的に又は付加的に、ジャッキパイプは、ジャッキパイプを別のジャッキパイプと結合するための少なくとも１つの結合部分を有する別個の結合スリーブによって別のジャッキパイプと結合可能である。結合スリーブはアダプタ状部材として働き、２つ以上のジャッキパイプの容易かつ迅速な結合を提供する。結合スリーブは、その結合部分によってジャッキパイプの端部に取り付けられ、結合部分は、別のジャッキパイプを収容することができ、このジャッキパイプは必要であれば別の結合スリーブ等を収容してよい。好適には、結合スリーブは、結合スリーブの互いに反対側の端部に配置された２つの結合部分を有している。結合スリーブは、同様に中空であり、すなわち、ケーブル等が結合スリーブの内部を通って案内されてよい。
【００２３】
結合部分は、スナップ嵌合式結合及び／又は差込結合を提供してよい。従って、結合スリーブの結合部分は、好適には、ジャッキパイプの中空部にスナップ結合することによってジャッキパイプに容易に取り付けられてよいスナップ嵌合部として及び／又は例えばジャッキパイプの端部を収容するために結合部をＬ字形又はＵ字形に成形することによって達成可能な差込結合部として、適応されていてよい。もちろん、Ｌ字形又はＵ字形は、ジャッキパイプの直径よりも大きな直径を有している。
【００２４】
結合スリーブの端部において直径を増大させることは、端部がジャッキパイプよりも大きな直径を有する結合スリーブをジャッキパイプに被せ嵌めることによってジャッキパイプの迅速かつ容易な結合を許容する。
【００２５】
好適には、半型の表面に対して垂直な方向に一方の半型を移動させるための少なくとも１つの手段が提供される。この手段は、好適には、すなわちヨークレッグ及び半型と結合して設けられている。成形コンクリートに対する支持半型の位置は、実質的に成形方向に対して垂直な方向で変化させることができる。手段は、例えば、空圧式、液圧式、又は電動式に駆動されるシリンダであってよい。手段は、成形コンクリートに対する半型の圧力、すなわち型枠に対する圧力を、連続的に変化させるか又は完全に弛緩させることができるように、配置されている。
【００２６】
発明は、スリップフォーム成形のための前記装置を用いて成形される、成形されたコンクリート構造物、特に風車タワーにも関する。
【００２７】
最後に、発明は、風車タワーを成形するためのスリップフォーム成形のための前記装置の使用に関する。
【００２８】
以下に、図面を参照して発明をより詳細に説明する。
【図面の簡単な説明】
【００２９】
【図１】スリップフォーム成形のための本発明による装置の原理を示す図である。
【図２】本発明によるジャッキパイプの第１の実施形態を示す図である。
【図３】本発明によるジャッキパイプの第２の実施形態を示す図である。
【図４】本発明によるジャッキパイプの第３の実施形態を示す図である。
【図５】結合スリーブによるジャッキパイプの結合の第１の実施形態を示す図である。
【図６】結合スリーブによるジャッキパイプの結合の第２の実施形態を示す図である。
【図７】結合スリーブによるジャッキパイプの結合の第３の実施形態を示す図である。
【発明を実施するための形態】
【００３０】
図１は、スリップフォーム成形のための本発明による装置１の原理図を示している。装置１は、２つの向き合ったヨークレッグ３，４上に配置されたスリップフォームヨーク２を有している。それぞれのヨークレッグ３，４は、半型５，６を支持するように適応されており、半型５，６の内面は互いに向き合っている。側方においてヨークレッグ３，４によって支持されている半型５，６は、作業デッキ７とヨークレッグ３，４との間の支持体（図示せず）によって支持されていてもよい。コンクリート又は同様の材料が半型５，６の間に注入される。成形される風車タワー等のコンクリート構造物の既に成形された鉛直方向壁部９に、鉛直方向のジャッキパイプ８が挿入されており、スリップフォームヨーク２を貫通して上方へ突出するようになっている。ジャッキ１０又は同様のものが、スリップフォームヨーク２に結合されており、ジャッキパイプ８によってスリップフォームのための持上げ手段として働くために設けられている。その結果、ジャッキパイプ８は、ジャッキ１０と協働し、装置１を上方へ持ち上げる。必要であれば、ジャッキ１０の内側に設けられたねじ山と噛み合う適切なねじ山がジャッキパイプ８の外側に設けられる。
【００３１】
図１によれば、風車タワー等の鉛直方向構造物が成形されつつあり、従ってヨーク２は実質的に水平方向であり、ヨークレッグ３，４はそれぞれ実質的に鉛直方向である。同様に、水平面に対して所定の角度で成形される構造物の場合、適用可能な場合における全ての細部は、対応する傾斜を成すことになる。同じことが水平方向構造物にも当てはまる。
【００３２】
半型５，６の一方又は両方をこれらの半型５，６の表面に対して垂直な方向に移動させるための手段１１が、ヨークレッグ３，４に設けられている。この手段１１は、例えば電気モータによって継続的に駆動されてよい。
【００３３】
コンクリート構造物のスリップフォーム成形のプロセスは、広く利用されており、詳細な説明を必要としない。
【００３４】
電気ケーブル又はプレストレスワイヤ等の構成部材を受容するために用いられる、成形鉛直壁部分９内に一体形成又は受容された、通常使用される別個のダクト状構造物は、本発明にとって不要であるため図示していない。これが可能であるのは、本発明によるジャッキパイプ８が中実ではなく少なくとも部分的に中空である、すなわち内部に体積（中空部１２）を形成しており、その結果、例えば前記電気ケーブル又はプレストレスワイヤ等の全ての関連する構成部材を受容するように適応されているからである。
【００３５】
図２は、本発明によるジャッキパイプ８の第１の実施形態を示している。ジャッキパイプ８は、より増大した直径を備える一方の端部（図２によればジャッキパイプの下端部）を有しており、これにより別のジャッキパイプ８に結合されてよいことが分かる。その結果、単に一方のジャッキパイプ８を下流に配置されたジャッキパイプ８に被せ嵌めることによって複数のジャッキパイプ８の容易でかつ安定した結合を行うことができる。もちろん、コンクリートがジャッキパイプ８の内部に入り込まないように結合は漏れが防止されている。すなわち、図２によれば、中間におけるジャッキパイプ８はより増大した直径を備える端部において、下方に配置されたジャッキパイプ８の自由端部に被せ嵌められている。さらに、本発明によるジャッキパイプ８は完全に中空であってもよく、これにより、ジャッキパイプ８の中空部１２は互いに連通し、望まれる場合には成形される構造物全体を通過するケーブルの一体化を提供する。
【００３６】
図３に示したように、スナップ嵌合部１３の形状の結合部材と、対応する凹所とがジャッキパイプ８に設けられていることもできる。図３によれば、第１のタイプのジャッキパイプ８にはスナップ嵌合部１３が設けられており、第２のタイプのジャッキパイプ８には凹所１４のみが設けられている。図示のように、スナップ嵌合部１３には、端部に傾斜が設けられており、これにより、ジャッキパイプ８の間の容易に得られる結合を提供する。しかしながら、図示していないが、それぞれのジャッキパイプ８が、一方の端部にスナップ嵌合部１３を有している及び／又は反対側の端部に凹所１４を有していることもできる。
【００３７】
図４は、本発明によるジャッキパイプ８の第３の実施形態を示している。この場合もやはり、３つの典型的なジャッキパイプ８は結合部材を用いて結合されており、これらの結合部材は、図２と比較して、対応する舌片状の突出部１６を受容する溝状の凹所１５であり、複数のジャッキパイプ８の容易に得られる、解離可能な差込結合を提供する。それぞれのジャッキパイプ８には、一方の端部において舌片状の突出部１６が設けられており、反対側の端部において溝状の凹所１５が設けられている。しかしながら、ジャッキパイプ８には溝状の突出部１６のみを設け、このジャッキパイプを、溝状の凹所１５のみを有する別のジャッキパイプと結合することも可能である。
【００３８】
本発明によるジャッキパイプ８は、好適には鉄又は鉄合金等の金属材料から形成されているか、又は例えば炭素繊維又はガラス繊維をベースとする複合材料等の先端材料から形成されていてもよい。
【００３９】
もちろん、ジャッキパイプ８に別の結合部材を設けることもできる。ジャッキパイプ８の横断面は好適には円形又は矩形であるが、これらに限定されない。
【００４０】
図５は、結合スリーブ１７によるジャッキパイプ８の結合の第１の実施形態を示している。与えられた結合スリーブ１７は、両端部において、結合部１８として働く増大した直径を有している。これにより、結合スリーブ１７をジャッキパイプ８の端部に取り付け、すなわち被せ嵌め、別のジャッキパイプ８を結合スリーブ１７の他方の端部に取り付けることによって、２つ以上のジャッキパイプ８の容易な結合が達せられる。必要であれば、結合は容易に解離可能でもある。
【００４１】
図６は、結合スリーブ１７によるジャッキパイプ８の結合の第２の実施形態を示している。この実施形態において、スナップ嵌合部１９は、結合部１８として働く結合スリーブ１７の端部に設けられている。これにより、結合スリーブ１７、すなわち結合スリーブ１７のスナップ嵌合部１９をジャッキパイプ８の端部に取り付ける、すなわち押し込むことによって、結合が確立されてよい。
【００４２】
図７は、結合スリーブ１７によるジャッキパイプ８の結合の第３の実施形態を示している。この実施形態によれば、結合スリーブ１７の結合部１８は、結合スリーブ１７の端部において、縦断面がＬ字形の区分として適応されている。これにより、結合部１８は、ジャッキパイプ８を受容するように構成されている。
【００４３】
結合スリーブ１７は、好適には、金属又はポリマ（プラスチック）材料から形成された、一体に形成された構成部材である。好適には、結合スリーブは、ジャッキパイプと同じ材料から形成されている。
【符号の説明】
【００４４】
１  装置、  ２  スリップフォームヨーク、  ３，４  ヨークレッグ、  ５，６  半型、  ７  作業デッキ、  ８  ジャッキパイプ、  ９  鉛直方向壁部、  １０  ジャッキ、  １１  手段、  １２  中空部、  １３  スナップ嵌合部、  １４  凹所、  １５  凹所、  １６  突出部、  １７  結合スリーブ、  １８  結合部、  １９  スナップ嵌合部
【図１】
2011190677.tif 000003
【図２】
2011190677.tif 000004
【図３】
2011190677.tif 000005
【図４】
2011190677.tif 000006
【図５】
2011190677.tif 000007
【図６】
2011190677.tif 000008
【図７】
2011190677.tif 000009
【外国語明細書】
2011190677.tif 000010
2011190677.tif 000011
2011190677.tif 000012
2011190677.tif 000013
2011190677.tif 000014
2011190677.tif 000015
2011190677.tif 000016
2011190677.tif 000017
2011190677.tif 000018
2011190677.tif 000019
2011190677.tif 000020
2011190677.tif 000021
2011190677.tif 000022
2011190677.tif 000023
2011190677.tif 000024
2011190677.tif 000025
2011190677.tif 000026
2011190677.tif 000027
2011190677.tif 000028
2011190677.tif 000029